(57)【要約】【課題】曲げ応力がかかりやすい製品や商品に添付して使用した場合にも、その機械的損傷が生じにくく、ＩＣタグ本来の機能を維持できるＩＣタグを提供すること。【解決手段】ＩＣインレットと外装材７との間に保護シート６を配置し、この保護シートに複数の切り込みａ１，ａ２を設ける。切り込みａ１，ａ２は、ＩＣチップを挟む両側に配置される。ＩＣタグに屈曲負荷がかけられたとき、この屈曲負荷はこの切り込みによって緩和され、切り込みで挟まれた領域の変形曲率はＩＣタグ全体の変形曲率に比較して小さくなり、ＩＣチップ４やそのエッジ部分に対する屈曲負荷も小さくなる。こうして、ＩＣチップ４を保護して、その機械的損傷を防止できる。【選択図】図３
2012068810.tif 000002
【特許請求の範囲】
【請求項１】
インレット基材と、このインレット基材上に配置され、互いに接続された線状アンテナ及びＩＣチップとでＩＣインレットを構成すると共に、このＩＣインレットの表裏面に保護シートを接着して補強インレットを構成し、この補強インレットを外装材中に埋設して構成されたＩＣタグであって、平面視で細長い形状のＩＣタグにおいて、
平面視で長手方向に前記ＩＣチップを挟む両側において、それぞれ、短辺方向に延びる切り込み又は長孔が前記保護シートに設けられていることを特徴とするＩＣタグ。
【請求項２】
インレット基材と、このインレット基材上に配置され、互いに接続された線状アンテナ及びＩＣチップとでＩＣインレットを構成すると共に、このＩＣインレットの表裏面に保護シートを接着して補強インレットを構成し、この補強インレットを外装材中に埋設し、かつ、平面視で前記ＩＣチップに重なる位置に、屈曲しにくい補強板を備えるＩＣタグであって、平面視で細長い形状のＩＣタグにおいて、
平面視で長手方向に前記ＩＣチップを挟む両側において、それぞれ、短辺方向に延びる切り込み又は長孔が前記保護シートに設けられていることを特徴とするＩＣタグ。
【請求項３】
前記切り込み又は長孔が前記保護シートの外周に達しない長さであることを特徴とする請求項１又は２に記載のＩＣタグ。
【請求項４】
ＩＣチップを挟む両側に設けられた前記切り込み又は長孔の端同士を繋いで、平面視で長辺方向に延びる切り込み又は長孔が前記保護シートに設けられていることを特徴とする請求項１〜３のいずれか記載のＩＣタグ。
【請求項５】
前記保護シートが外装材に比較して伸びにくい材質であることを特徴とする請求項１〜４のいずれか記載のＩＣタグ。
【請求項６】
前記ＩＣインレットと保護シートとが耐熱性接着剤で接着されていることを特徴とする請求項１〜５のいずれかに記載のＩＣタグ。
【請求項７】
前記接着剤が保護シートに比較して圧縮しやすい材質であることを特徴とする請求項６記載のＩＣタグ。
【発明の詳細な説明】
【技術分野】
【０００１】
本発明はＩＣタグに関する。本発明のＩＣタグは屈曲に対する優れた耐性を有する。例えば衣類やフレキシブルな容器に添付したとき、洗浄、脱水などの過酷な工程に耐えて、その機能を維持することができる。
【背景技術】
【０００２】
周知のように、ＩＣタグは導電体から成る線状のアンテナとこのアンテナに接続されたＩＣチップとを主要な構成部品として構成されるものである。ＩＣチップにはさまざまな情報を記憶させることができ、アンテナを通して外部のリーダーライターとの間で情報の授受を行うことができる。一般には、これらアンテナとＩＣチップとを保護するため、その表裏面に外装材を接着してＩＣタグとしている。
【０００３】
そして、ＩＣタグは、これを種々の製品に添付して、この製品又は商品に関連する情報を記憶するために使用されている。ＩＣチップに記憶される情報には、例えば、製品の材料、加工方法、品質、生産地、生産者や販売者、製品の取り扱い方法、あるいはこれらに関連する注意事項などがある。そして、これら情報は、製品の流通過程において、あるいは、販売後に、必要に応じてＩＣチップに記憶させ、また、読み出される。
【０００４】
ＩＣタグを添付する製品には種々のものがあるが、例えば、特許文献１は衣服を例示している。衣服に添付されたＩＣタグには洗濯やクリーニングによって圧力、たたき、揉みなどの外力が加えられるから、これら外力に耐えてＩＣタグの機械的損傷を防止できなくてはならない。また、例えば柔軟な容器に添付した場合には、この容器の製造工程や商品の充填密封工程で高温の洗浄が行われることがあるから、この高温下の外力に耐えてＩＣタグの機械的損傷を防止できなくてはならない。
【０００５】
特許文献１は、ウレタン樹脂とシリコーン膜とを外装材として使用して、この外装材の柔軟性や弾力性を利用して、圧力、たたき、揉みなどの外力によるＩＣタグの機械的損傷を防止している。しかし、ＩＣチップの材質は硬質の半導体であるから、揉みなどによって屈曲されるときには、その負荷がＩＣチップのエッジ部分、すなわち硬質のＩＣチップと柔軟なアンテナ部分との境界部位に集中しやすく、この部位のアンテナの破断を防ぐことは困難である。
【０００６】
また、特許文献２，３，４は、ＩＣチップを硬質の保護材で覆い、その他の部位、すなわち、アンテナ部分を柔軟な保護材で覆ったＩＣタグを提案している。しかし、このＩＣタグでは、硬質保護材の端部に屈曲負荷に集中しやすく、この部位からアンテナが破断することがある。
【先行技術文献】
【特許文献】
【０００７】
【特許文献１】特開２００５−５６３６２号公報
【特許文献２】特開２００７−４３６３号公報
【特許文献３】特許第４３８２７８３号公報
【特許文献４】特許第４３８２８０２号公報
【発明の概要】
【発明が解決しようとする課題】
【０００８】
そこで、本発明は、曲げ応力がかかりやすい製品や商品に添付して使用した場合にも、
その機械的損傷が生じにくく、ＩＣタグ本来の機能を維持できるＩＣタグを提供することを目的とする。
【課題を解決するための手段】
【０００９】
請求項１に記載の発明は、インレット基材と、このインレット基材上に配置され、互いに接続された線状アンテナ及びＩＣチップとでＩＣインレットを構成すると共に、このＩＣインレットの表裏面に保護シートを接着して補強インレットを構成し、この補強インレットを外装材中に埋設して構成されたＩＣタグであって、平面視で細長い形状のＩＣタグにおいて、
平面視で長手方向に前記ＩＣチップを挟む両側において、それぞれ、短辺方向に延びる切り込み又は長孔が前記保護シートに設けられていることを特徴とするＩＣタグである。
【００１０】
この発明においては、保護シートに短辺方向に延びる切り込み又は長孔が設けられているため、ＩＣタグに屈曲負荷がかけられたとき、この屈曲負荷はこの切り込みや長孔によって緩和される。このため、切り込みや長孔で挟まれた領域の変形曲率はＩＣタグ全体の変形曲率に比較して小さくなり、この領域、すなわち、切り込みや長孔で挟まれた領域に配置されたＩＣチップやそのエッジ部分に対する屈曲負荷も小さくなる。したがって、この発明によれば、曲げ応力がかかりやすい製品や商品に添付して、その曲げ応力がかかった場合にも、その機械的損傷が生じにくく、ＩＣタグ本来の機能を維持できるのである。なお、切り込みや長孔はＩＣチップの辺の長さより長いものであることが望ましい。また、切り込みや長孔はＩＣチップのエッジ部分から離隔した位置に配置して、切り込みや長孔の屈曲がＩＣチップに影響しないように配置することが望ましい。切り込みや長孔がＩＣチップのエッジ部分から２ｍｍの距離だけ離隔していれば、屈曲の影響を防ぐことができる。
【００１１】
次に、請求項２に記載の発明は、ＩＣチップを保護する補強板を備えたＩＣタグに関するものである。
【００１２】
すなわち、請求項２に記載の発明は、インレット基材と、このインレット基材上に配置され、互いに接続された線状アンテナ及びＩＣチップとでＩＣインレットを構成すると共に、このＩＣインレットの表裏面に保護シートを接着して補強インレットを構成し、この補強インレットを外装材中に埋設し、かつ、平面視で前記ＩＣチップに重なる位置に、屈曲しにくい補強板を備えるＩＣタグであって、平面視で細長い形状のＩＣタグにおいて、
平面視で長手方向に前記ＩＣチップを挟む両側において、それぞれ、短辺方向に延びる切り込み又は長孔が前記保護シートに設けられていることを特徴とするＩＣタグである。
【００１３】
なお、切り込みや長孔は補強板のエッジ部分から離隔した位置に配置することが望ましい。切り込みや長孔は補強板のエッジ部分から２ｍｍの距離だけ離隔していれば十分である。
【００１４】
次に、請求項３に記載の発明は、前記切り込み又は長孔が前記保護シートの外周に達しない長さであることを特徴とする請求項１又は２に記載のＩＣタグである。
【００１５】
この発明によれば、切り込みや長孔は保護シートの外周に達していないから、曲げ応力がかかった場合にも、切り込みや長孔で挟まれた領域に配置されたＩＣチップに対する屈曲負荷を一層小さくすることが可能となる。
【００１６】
次に、請求項４に記載の発明は、ＩＣタグに対して短辺方向に屈曲負荷がかけられたときにも、この曲げ応力を緩和して、ＩＣチップの機械的損傷を防ぐことを目的とするもので、すなわち、ＩＣチップを挟む両側に設けられた前記切り込み又は長孔の端同士を繋い
で、平面視で長辺方向に延びる切り込み又は長孔が前記保護シートに設けられていることを特徴とする請求項１〜３のいずれか記載のＩＣタグである。
【００１７】
次に、請求項５に記載の発明は、前記保護シートが外装材に比較して伸びにくい材質であることを特徴とする請求項１〜４のいずれか記載のＩＣタグである。保護シートが外装材に比較して伸びにくい材質であることから、屈曲の際に外装材が伸びても、保護シートはその伸びに対して十分な引張負荷耐性を持つことができ、その引張応力が保護シートとＩＣインレットとの境界面に作用して両者が剥離することを防止できる。すなわち、ＩＣタグを屈曲した場合、外装材が大きく伸びて屈曲するにも拘らず保護シートの伸びはわずかであり、このため、この保護シートのわずかな引張応力が保護シートとＩＣインレットとの境界面にかかるに過ぎない。
【００１８】
次に、請求項６に記載の発明は、前記ＩＣインレットと保護シートとが耐熱性接着剤で接着されていることを特徴とする請求項１〜５のいずれかに記載のＩＣタグであり、このため、高温下で屈曲負荷がかかった場合にも、ＩＣインレットと保護シートとが密着してＩＣタグの一体構造を維持することができる。
【００１９】
次に、請求項７に記載の発明は、前記接着剤が保護シートに比較して圧縮しやすい材質であることを特徴とする請求項６記載のＩＣタグである。保護シートとＩＣチップとの間の接着剤が保護シートに比較して圧縮しやすい材質であるため、屈曲によって保護シートに圧縮負荷がかかった場合でも、この接着剤が圧縮負荷を吸収してＩＣインレットの損傷を防止することができる。
【発明の効果】
【００２０】
以上のように、本発明によれば、さまざまな屈曲負荷がかかった場合にも、この屈曲負荷はこの切り込みや長孔によって緩和されるため、切り込みや長孔で挟まれた領域に配置されたＩＣチップやそのエッジ部分に対する屈曲負荷を小さくして、その損傷を防止することが可能となる。
【図面の簡単な説明】
【００２１】
【図１】本発明の実施形態に係るＩＣタグの層構成を示す概略断面図
【図２】本発明の別の実施形態に係るＩＣタグの層構成を示す概略断面図
【図３】切り込みの位置の例を示す概略平面図
【図４】切り込みの位置の例を示す概略平面図
【図５】切り込みの位置の例を示す概略平面図
【図６】切り込みの位置の例を示す概略平面図
【図７】切り込みの位置の例を示す概略平面図
【図８】切り込みに代えて長孔を設けた例を示す概略平面図
【図９】揺動屈曲試験の説明図
【発明を実施するための形態】
【００２２】
本発明のＩＣタグは、補強インレットと外装材とを必須の要素として構成されるものである。補強インレットはＩＣインレットと保護シートで構成される。また、ＩＣインレットは、インレット基材、アンテナ及びＩＣチップで構成されるものである。なお、このほか、補強板などを備えるものであってもよい。
【００２３】
また、本発明のＩＣタグは、平面視で細長い形状を有するものである。細長い形状を有するため、このＩＣタグに対する屈曲負荷は、その長辺を折り曲げるように働き易い。なお、本発明のＩＣタグは、平面視で長方形であってもよいし、楕円形であってもよい。
【００２４】
ＩＣインレットは、ＩＣチップをアンテナに接続して構成されるもので、例えば、合成樹脂フィルムをインレット基材とし、このインレット基材上に導電体から成る線状のアンテナを形成した後、異方性導電性接着剤を使用してこのアンテナ上にＩＣチップを接着して構成することができる。なお、アンテナの素材や加工方法は公知であり、例えば素材として金属箔を使用し、この金属箔をインレット基材に接着した後、エッチングして線状のアンテナ形状に加工することでアンテナを形成することができる。また、導電性インキをアンテナ形状に印刷して線状アンテナとしてもよい。また、アンテナの形状としては線状の導電体で構成されていればよく、ダイポールアンテナ、ループアンテナのいずれであってもよいが、後述する切り込みや長孔と交差することのない形状とすることが望ましい。例えば、アンテナの形状を、一定方向に延びる第１の直線部分と、この直線部分から曲がって他の方向に延びる第２の直線部分とを有する折れ線状に構成することができる。もちろん、３以上の直線部分を有する折れ線状に構成することもできる。また、アンテナの一部に閉ループを構成することもできる。
【００２５】
また、保護シートはＩＣインレットの表裏面に接着するものであり、こうして表裏面に保護シートが接着されたＩＣインレットを、本明細書において、補強インレットと呼んでいる。なお、後述するように、この保護シートには、複数本の切り込み又は長孔が設けられている必要がある。
【００２６】
保護シートは外装材に比較して伸びにくい材質であることが望ましい。後述するように、外装材はゴムやエラストマーを素材としているから、通常の合成樹脂フィルムで十分である。中でも、外装材に比較して引張強度が大きく、弾性率の大きいフィルムが望ましい。例えば、弾性率が４００Ｍｐａとなる材料が好ましく、ポリエチレンテレフタレートシート、ポリイミドシート、ポリフェニレンサルファイドシート、ポリエーテルイミドシート、ポリエチレンナフタレートシートなどが使用できる。
【００２７】
また、保護シートとして、ＩＣインレットと略同一形状のシートを使用することができる。これより大きいシートとして、保護シートの端部が外装材から露出するように構成してもよい。また、小面積として、この外装材の内部に埋設して、保護シートがＩＣタグの外面に露出することがないように構成することもできる。
【００２８】
この保護シートは、接着剤を使用してＩＣインレットに接着することができる。屈曲によってＩＣタグに圧縮負荷がかかった場合、この接着剤によって圧縮負荷を吸収してＩＣチップに圧縮負荷がかかることを防ぐため、前記保護シートに比較して圧縮しやすい材質の接着剤を使用することが望ましい。中でも、保護シートに比較して弾性率の小さい接着剤が望ましい。このような接着剤としては、例えば、エチレン酢酸ビニル系接着剤、ポリオレフィン系接着剤、ポリアミド系接着剤、合成ゴム系接着剤、アクリル系接着剤、ポリウレタン系接着剤などの熱可塑性接着剤；もしくは、エポキシ系接着剤、ウレタン系接着剤、シリコン系接着剤などの熱硬化性接着剤が例示できる。
【００２９】
また、高温下の洗浄工程などで保護シートとＩＣインレットとが剥離することを防止するため、耐熱性を有する熱硬化性接着剤が好ましく使用できる。
【００３０】
次に、外装材はＩＣインレットを外部環境から保護するものである。例えば、外力、汚れなどからＩＣインレットを保護する。この外装材は、屈曲しやすいゴムやエラストマーを素材とする弾性体が望ましく、弾性率が１ＭＰａ〜２００ＭＰａ程度となる熱可塑性エラストマーもしくは熱硬化性エラストマーなどが好ましい。中でも、高温環境下での使用に際しては、熱硬化性エラストマーを好ましく使用できる。
【００３１】
熱可塑性エラストマーとしては、ポリオレフィン系熱可塑性エラストマー、１，２−ポ
リブタジエン系熱可塑性エラストマー、スチレン系熱可塑性エラストマー、塩ビ系熱可塑性エラストマー、ウレタン系熱可塑性エラストマー、ポリエステル系熱可塑性エラストマー、ポリアミド系熱可塑性エラストマーなどが例示できる。
【００３２】
熱硬化性エラストマーとしては、加硫ゴムや熱硬化性樹脂系エラストマーを使用することができ、例えば、シリコーンゴム、フッ素ゴム、ウレタンゴム、エチレン−プロピレン−ジエンゴム、ニトリルゴム、ポリイソブチレンなどが例示できる。
【００３３】
なお、外装材を補強インレットより大面積に構成し、補強インレットが外部に露出することがないようにこの外装材によって埋設させることもできる。また、前述のように、保護シートの端部が外装材から露出するように構成することも可能である。
【００３４】
次に、補強板は、ＩＣチップに対して屈曲負荷がかかることを防ぐと共に、折り曲げ部位のアンテナに対する負荷を小さくする役割を果たすものである。このため、補強板としては、ＩＣチップと異なり、屈曲負荷がかかった際に撓むことができて、しかも、外装材や保護シートに比較して折り曲げにくい板状の材料が適している。このような材料としては、比較的剛性の高い合成樹脂製の板が例示できる。また、外装材と同じ材質であっても、外装材や保護シートに比較して硬度の高いものであれば、補強板として使用できる。例えば、ポリエチレンテレフタレート、ポリイミド、ポリフェニレンサルファイド、ポリエーテルイミド、ポリエチレンナフタレート、エポキシ樹脂などの材質から構成される硬質の板材料である。
【００３５】
この補強板は、平面視でＩＣチップに重なる位置に配置することが望ましい。ＩＣチップと同じ大きさでもよいが、ＩＣチップより大きい補強板を使用して、ＩＣチップを覆うように配置することが好適である。ＩＣチップを覆うように補強板を配置することによって、ＩＣタグに屈曲負荷がかかったときに、ＩＣチップに対してこの屈曲負荷がかかることを防止でき、また、補強板の端部がわずかに曲面状に撓むことでアンテナに対する負荷を軽減することができる。なお、この補強板は、ＩＣインレットと保護シートとの間、保護シートと外装材との間、あるいは外装材の外側に配置することができる。この補強板は、耐熱性接着剤を使用して接着することができる。また、その材質に応じて、素材自体の自己融着によって接着することも可能である。
【００３６】
次に、図面を参照して、本発明に係る代表的なＩＣタグの層構成を説明し、続いて、保護シートに切り込みを設けたＩＣタグについて、その切り込みの位置を説明する。
【００３７】
図面の図１は本発明の実施形態に係るＩＣタグの層構成を示す概略断面図である。
【００３８】
図１から分かるように、この層構成の中央には、インレット基材１が配置されている。インレット基材１は、例えば、ポリエチレンテレフタレートフィルムなどの合成樹脂フィルムから構成されているものである。このインレット基材１の片面に線状アンテナ２が設けられている。説明の便宜上、図１では右端から左端までこの線状アンテナ２が図示されているが、後述するように、この線状アンテナ２は折れ線状に配置されているものである。そして、この線状アンテナ２の中央に、異方性導電性接着剤３を介してＩＣチップ４が接着されている。この実施形態においては、インレット基材１、線状アンテナ２、異方性導電性接着剤３及びＩＣチップ４によってＩＣインレットを構成している。
【００３９】
次に、このＩＣインレットの上下両面に、熱硬化性接着剤５，５を介して保護シート６、６が接着されている。保護シート６、６はＩＣインレットと同一面積かつ同一形状で、ＩＣチップを覆うように接着されている。こうして両面に保護シート６、６を接着したＩＣインレットを、以下、補強インレットと呼ぶ。
【００４０】
この補強インレットの表裏両面には、外装材７，７が接着されている。
【００４１】
次に、図２は本発明の別の実施形態に係るＩＣタグの層構成を示す概略断面図であり、この例では、外装材７，７の上下両面に、更に、補強板８，８が配置されている。その他は図１のＩＣタグと同様である。
【００４２】
次に、図３を参照して、切り込みの位置の例を説明する。この例では、保護シート６，６に２本の切り込みａ１，ａ２を設けている。
【００４３】
これら２本の切り込みａ１，ａ２は、図３に示すように、ＩＣチップ４を挟むように配置されている。その配列方向は、ＩＣタグの長辺方向（長手方向）である。その位置は、ＩＣチップ４のエッジ部分から２ｍｍ以上離隔した位置である。なお、ＩＣタグが補強板８，８を備える場合には、切り込みａ１，ａ２の位置は、補強板８，８のエッジ部分から２ｍｍ以上離隔した位置であることが望ましい。
【００４４】
次に、切り込みａ１，ａ２の形状は、ＩＣタグの長手方向に垂直な方向、すなわち、短辺方向に延びる形状である。また、その長さはＩＣチップ４の辺の長さより長く、しかも、保護シート６，６の外周に達しない長さである。そして、この切り込みａ１，ａ２の両端から保護シート６，６の長辺に下した垂線の長さは、ＩＣチップ４から保護シート６，６の長辺に下した垂線の長さより短く構成されている。
【００４５】
このため、このＩＣタグに屈曲負荷がかかったときにも、この屈曲負荷はこの切り込みａ１，ａ２によって緩和される。このため、切り込みａ１，ａ２で挟まれた領域の変形曲率はＩＣタグ全体の変形曲率に比較して小さくなり、この領域、すなわち、切り込みａ１，ａ２で挟まれた領域に配置されたＩＣチップ４に対する屈曲負荷も小さくなり、その機械的損傷を防止することができる。
【００４６】
保護シート６，６に設ける切込みとしては、ＩＣチップ４を挟むこれら２本の切り込みａ１，ａ２に加えて、他の切り込みを設けることもできる。図４〜図７はこのような切り込みの例を示すものである。すなわち、図４のＩＣタグにおいては、２本の前記切り込みａ１，ａ２に加えて、これら２本の切り込みａ１，ａ２の端同士を繋ぐ切り込みａ３であって、長辺に平行な切り込みａ３が設けられている。また、図５のＩＣタグにおいては、２本の前記切り込みａ１，ａ２及びこの切り込みａ１，ａ２の端同士を繋ぐ切り込みａ３に加えて、線状アンテナ２を介してコの字形状の切り込みａ４が設けられている。また、図６のＩＣタグにおいては、２本の前記切り込みａ１，ａ２に加えて、これら切り込みａ１，ａ２の両端から、ＩＣチップ４から遠ざかる方向に、長辺に平行な切り込みａ５，ａ６が設けられている。また、図７のＩＣタグにおいては、２本の前記切り込みａ１，ａ２に加えて、これら切り込みａ１，ａ２の両端から、ＩＣチップ４に近づく方向に、長辺に平行な切り込みａ７，ａ８が設けられている。
【００４７】
以上、保護シート６，６に切り込みを設ける例について説明したが、切り込みに代えて長孔を設けてもよい。図８は、切り込みａ１，ａ２に代えて長孔ｂ１，ｂ２を設けた例である。この例においても、長孔ｂ１，ｂ２は、ＩＣチップ４を挟むように配置されており、配列方向はＩＣタグの長辺方向（長手方向）である。また、その位置は、ＩＣチップ４のエッジ部分から２ｍｍ以上離隔した位置である。また、長孔ｂ１，ｂ２の形状は、ＩＣタグの短辺方向に延びる形状であり、その長さはＩＣチップ４の辺の長さより長く、しかも、保護シート６，６の外周に達しない長さである。そして、この長孔ｂ１，ｂ２の両端から保護シート６，６の長辺に下した垂線の長さは、ＩＣチップ４から保護シート６，６の長辺に下した垂線の長さより短く構成されている。
【実施例】
【００４８】
次に、実施例によって本発明を説明する。
【００４９】
この実施例に係るＩＣタグの層構成は、図１に示すものと同一である。また、図４はその概略平面図である。
【００５０】
インレット基材１としては、厚さ５０μｍのポリエチレンテレフタレート（ＰＥＴ）フィルムを使用した。このインレット基材１の片面に銅（厚さ１８μｍ）のエッチングアンテナ２を設け、ＩＣチップ（ＮＸＰ社製  Ｇ２ＸＭ）４をＡＣＰ実装してＩＣインレットとした。
【００５１】
そして、厚さ１００μｍのＰＥＴフィルムを保護シート６，６として、このＩＣインレットの表裏に、ＩＣインレットの全面を含むように、保護シート６，６を接着して補強インレットを構成した。なお、ＩＣインレットと保護シートとは、熱硬化性接着剤５から成る厚さ３０μｍのコア接着層を介在させることによって接着した。また、この補強インレットは、平面視で５６ｍｍ×１４ｍｍの長方形状であり、ＩＣチップ４が長辺の中央に位置するように構成した。また、保護シート６，６には、ＩＣチップ４を挟む両側の位置に、長辺方向と垂直に延びるように２本の切り込みａ１，ａ２が設けられており、また、これら２本の切り込みａ１，ａ２の端同士を繋ぐ切り込みａ３が長辺方向に延びるように設けられている。図４から分かるように、切り込みａ１，ａ２及びａ３は、全体としてコの字状をなしている。なお、切り込みａ１，ａ２は、ＩＣチップ４の端から２ｍｍ離隔した位置に配置されている。
【００５２】
次に、前記補強インレットの表裏両面に、ウレタンエラストマーから成る外装材７，７を接着して、外形６０ｍｍ×２０ｍｍ、厚さ１．２ｍｍの軟質ＩＣタグ（実施例）を製造した。
【００５３】
次に、比較のため、切り込みａ１，ａ２，ａ３のない保護シート６，６を使用して、実施例と同様に軟質ＩＣタグ（比較例）を製造した。
【００５４】
そして、実施例及び比較例のＩＣタグを使用して揺動屈曲試験を行い、これらＩＣタグの屈曲耐性を評価した。
【００５５】
すなわち、これらＩＣタグの短辺のそれぞれをクランプし、このクランプによってＩＣタグを図９に示すように屈曲した。短辺同士の距離は１０ｍｍである。
【００５６】
次に、図９の矢印で示すように、短辺の一方を前後方向に摺動させてＩＣタグに摺動屈曲負荷を繰り返して与えた後、ＩＣタグの機能が損なわれていないか否かについて検査した。ＩＣタグの検査は、アンテナを通じてＩＣチップに記憶された情報の読み出し処理を行って、その読み取りが可能であるか否かで評価した。また、摺動回数５００回ごとにこの検査を行い、２０００回を越えたときから２０００回ごとに１００００回まで測定した。なお、比較例のＩＣタグについては、摺動回数２０００回で破損が観察されたため、これ以降については検査していない。この結果を表1に示す。
【００５７】
【表１】
2012068810.tif 000003
表中、○は読み取りが可能であったこと、×は不可能であったことを意味する。
【００５８】
この結果から分かるように、実施例のＩＣタグは、１００００回の摺動の後にも正常に読み取ることができた。これに対し、比較例１のＩＣタグは、２０００回の摺動の後には
、情報の読み取りができなかった。この結果から、切り込みａ１，ａ２，ａ３の有無に応じて、ＩＣタグの屈曲耐性が大きく異なることが理解できる。
【符号の説明】
【００５９】
１      インレット基材
２      線状アンテナ
２１，２２      線状アンテナの直線部分
２ｘ    屈曲軸と交差する直線部分
３      異方性導電性接着剤
４      ＩＣチップ
５      熱硬化性接着剤
６      保護シート
７      外装材
８      補強板
ａ１，ａ２，ａ３，ａ４，ａ５，ａ６，ａ７，ａ８      切り込み
ｂ１，ｂ２      長孔
【図１】
2012068810.tif 000004
【図２】
2012068810.tif 000005
【図３】
2012068810.tif 000006
【図４】
2012068810.tif 000007
【図５】
2012068810.tif 000008
【図６】
2012068810.tif 000009
【図７】
2012068810.tif 000010
【図８】
2012068810.tif 000011
【図９】
2012068810.tif 000012